(57)【要約】【課題】  鍵のタッチに支障がない非打弦演奏を可能とする。【解決手段】  通常演奏では、押鍵に応じてジャックが突き上げられ、ハンマーアセンブリを回動させる。ハンマーアセンブリは回動して弦を打撃する。非打弦演奏では、ハンマーストッパが、ハンマーアセンブリの押鍵時の回動方向から、ハンマーアセンブリの一部に当接する。このハンマーアセンブリがハンマーストッパに当接する前に、ジャックは、上昇を阻止される。この後もハンマーアセンブリは慣性により、なおも回動し続ける。そして、ハンマーアセンブリの一部がハンマーストッパに当接する。このとき、打鍵に応じて電子音源から発音する。鍵のタッチが阻害されない非打弦演奏を行うことができる。【選択図】  図１
2005134928.tif 000002
【特許請求の範囲】
【請求項１】
少なくとも鍵の操作に応じて上昇するジャックと、
このジャックの突き上げに応じて回動するハンマーアセンブリと、
このハンマーアセンブリの押鍵時の回動方向から、ハンマーアセンブリの一部と当接するハンマーストッパとを有し、
打鍵に応じてセンサからの演奏情報に基づいて電子音源から発音可能とし、上記ハンマーアセンブリが上記ハンマーストッパに当接する前に上記ジャックは上昇を阻止されることを特徴とする鍵盤楽器。
【発明の詳細な説明】
【技術分野】
【０００１】
本発明は鍵盤楽器に関し、非打弦演奏時に鍵のタッチが阻害されない演奏を実現できるものである。
【背景技術】
【０００２】
従来、打弦による発音を変化させた鍵盤楽器として、特許文献１に記載されたものが提案されている。この鍵盤楽器は、グランドピアノであって、弦とハンマーアセンブリのハンマーシャンクとの間において、ハンマーシャンクと対向する面に弾性体を有したストッパを設けており、回動するハンマーシャンクを弾性体を介してストッパで受け止めるものである。そして、このグランドピアノは、ハンマーの回動による運動エネルギを弾性体で吸収することにより、この運動エネルギを弱めて、音質、弦の響き等を阻害することなく打弦による音量を効果的に減少させるものであった。
【特許文献１】実開昭５１−６７７３２号公報
【発明の開示】
【発明が解決しようとする課題】
【０００３】
しかしながら、このようなグランドピアノにあっては、打弦による発音を完全に生じさせないようにしたとき、鍵のタッチをある程度犠牲にしなければならない等の課題があった。すなわち、打弦音を発生させないようにするためには、ストッパをハンマーシャンク側にさらに近づける必要がある。このとき、通常の接近は、２ｍｍ程度のままである。この接近の値においては、ハンマーアセンブリのハンマーローラーがジャックから離れる前に、ジャックおよびストッパによってハンマーシャンクが挟み込まれて止まってしまい、連打ができ難くなる等、従来のピアノのような演奏ができなくなる。
【０００４】
そこで、本発明の目的は、ハンマーアセンブリがハンマーストッパに当接する前にジャックは上昇を阻止されるように構成することで、押鍵に応じてジャックが突き上げられ、ジャックがハンマーを回動させる機構を持ち、そのハンマーを停止させる機構を持ちつつも鍵のタッチが阻害されない鍵盤楽器を提供するものである。
【課題を解決するための手段】
【０００５】
請求項１に記載の発明は、少なくとも鍵の操作に応じて上昇するジャックと、このジャックの突き上げに応じて回動するハンマーアセンブリと、このハンマーアセンブリの押鍵時の回動方向から、ハンマーアセンブリの一部と当接するハンマーストッパとを有し、打鍵に応じてセンサからの演奏情報に基づいて電子音源から発音可能とし、上記ハンマーアセンブリが上記ハンマーストッパに当接する前に上記ジャックは上昇を阻止される鍵盤楽器である。
請求項１に記載の発明に係る鍵盤楽器にあっては、押鍵に応じてジャックが突き上げられ、ハンマーアセンブリを回動させる。ハンマーアセンブリは回動して弦を打撃する。通常演奏である。
または、ハンマーアセンブリがハンマーストッパに当接する前にジャックは上昇を阻止される。すなわち、ハンマーストッパが、このハンマーアセンブリの押鍵時の回動方向から、ハンマーアセンブリの一部に当接する。このとき、ハンマーアセンブリが上記ハンマーストッパに当接する前に、上記ジャックは上昇を阻止される。この後もハンマーアセンブリ（ハンマーヘッド、ハンマーシャンクを含む）はその慣性により、なおも回動し続ける。
そして、ハンマーアセンブリの一部（例えばハンマーシャンク）がハンマーストッパに当接する。
また、このとき、打鍵に応じて、センサからの演奏情報に基づいて電子音源から発音する。
【発明の効果】
【０００６】
以上説明してきたように、本発明によれば、通常演奏の他に、ジャックは、上記ハンマーアセンブリが上記ハンマーストッパに当接する前にその上昇を阻止されることにより、鍵のタッチが阻害されない非打弦演奏を行うことができる。
【発明を実施するための最良の形態】
【０００７】
以下、本発明に係る鍵盤楽器の実施例について図面を参照して説明する。
【実施例１】
【０００８】
図１は本発明の鍵盤楽器の第１実施例に係るアップライトピアノの弦およびアクションの休止状態を示す側面図である。
この図において、各音高に対応して、弦１１はほぼ鉛直にそれぞれ張設されている。図では、その一つを取り出して示している。
この弦１１の１本に対応して１組みのハンマーアセンブリが配設されている。
この１組のハンマーアセンブリは、図中時計回り方向に回動して弦１１を打撃するハンマーヘッド１３と、このハンマーヘッド１３に連設されたハンマーシャンク１４と、このハンマーシャンク１４の基端に固定されたバット１５と、このバット１５の右端に取り付けられバットスプリング１６と、バット１５の左端に突出して連結されたキャッチャーシャンク１８と、このキャッチャーシャンク１８の先端に固設されたキャッチャー１９と、を備えている。
【０００９】
そして、ハンマーアセンブリのバット１５を揺動自在にセンターピン１７が支持している。バットスプリング１６は、常時、図中反時計回り方向にバット１５を付勢し続けるものである。
２８は、弦１１に対応して配設される８８個の鍵全体にわたって共通に横断延設されたセンターレールである。このセンターレール２８の上端部にバットフレンジ２９を介して上記バット１５が、センターピン１７を支点として回動自在に取り付けられている。
一方、センターレール２８の下端部にはウイペン２６が回動自在に取り付けられている。このウイペン２６は、センターレール２８から水平方向に突出するように設けられている。
【００１０】
このウイペン２６の上面においてセンターレール２８の左方には、ジャックフレンジ３２を介してＬ字状のジャック３３が揺動自在に立設されている。このジャック３３のジャック大３３Ａの先端（頂端）は、上記バット１５の下端面に当接している。ジャック３３は、打鍵に応じた図中時計回り方向への回動力をバット１５に伝達するものである。このバット１５の当接面にはバットスキン１５Ａが貼着されている。ジャックフレンジ３２の左方において、ジャック小３３Ｂの下面とウイペン２６の上面とにジャックスプリング３４の両端がそれぞれ係止している。このジャックスプリング３４は、ピン３６を中心にジャック３３を図中時計回り方向に付勢するものである。
【００１１】
また、３５はレギュレチングボタンであって、上記ジャック小３３Ｂの上面が当接可能な位置に配設されている。
詳しくは、弦１１に対応して配設される８８個の鍵全体にわたって、低音域、中音域、高音域毎に３分割されて横断延設されたレギュレチングレール１００の下部にねじ込まれてレギュレチングボタン３５は保持されている。このレギュレチングレール１００はレギュレチングブラケット１０１の一端にネジ１０２によって固定されている（図２参照）。このレギュレチングブラケット１０１の他端は上記センターレール２８にねじ込まれて保持されている。
レギュレチングスクリュー１０３は、調整ツール（図示略）を用いて回転し、レギュレチングレール１００からレギュレチングボタン３５が突出する距離を各鍵毎独立して微調整するものである。このレギュレチングボタン３５の当接面にも皮革等のレギュレチングボタンパンチング３５Ａが貼着されている。
【００１２】
そして、図２には接近を変更する機構が示されている。
この図に示すように、中音域用ワイヤ１０５の一端の孔を通ってビス１０４がレギュレチングレール１００の両端にそれぞれねじ込まれている。これらの中音域用ワイヤ１０５は、定滑車１０６の溝にそれぞれ掛かって方向を変えている。
そして、これらの中音域用ワイヤ１０５の他端は、引張バネ１０７の一端にそれぞれ係止している。これらの引張バネ１０７の他端には、接続ワイヤ１０８の一端がそれぞれ係止している。これらの接続ワイヤ１０８の他端は、係止ピン１０９の輪にそれぞれ係止している。
なお、低音域用ワイヤ１１２、高音域用ワイヤ１１３も上記と同じ様な構成で係止ピン１０９にそれぞれ係止している。この係止ピン１０９は周知の中央ペダル１１０に植設されている。この中央ペダル１１０は、前土台１１１からその踏板部が突出している。この前土台１１１には、演奏者が中央ペダル１１０の踏板部を下に踏んで左に移動させて保持させるためのＬ字形状のラッチ孔１１０Ａが形成されている。
【００１３】
また、上記レギュレチングブラケット１０１はバネ材で作製され、周知のレギュレチングブラケットと同じ強度であるけれども、１ｍｍ程度の可撓性を有している。この可撓性によってレギュレチングレール１００は１ｍｍ程度の範囲で昇降するものである。このレギュレチングレール１００の両端側の下にはストッパ１１４がそれぞれ配設されている。これらのストッパ１１４はネジ１１５によってセンターレール２８にそれぞれ固定されている。このストッパ１１４の固定位置は、所定範囲で上下できるものである。
なお、図２には示していないが、レギュレチングレール１００の下部にレギュレチングボタン３５がそれぞれねじ込まれているものである。
【００１４】
そして、レギュレチングレール１００の昇降の切替は、中央ペダル１１０によって行われる。
すなわち、この中央ペダル１１０がラッチ孔１１０Ａの右側に位置するときは、中央ペダル１１０はラッチ孔１１０Ａの上側に位置しているものである。このため、係止ピン１０９は接続ワイヤ１０８、引張バネ１０７、中音域用ワイヤ１０５を引っ張り下げることもない。レギュレチングレール１００は通常演奏状態の位置にある。
一方、中央ペダル１１０が演奏者により踏み込まれてラッチ孔１１０Ａの下側に位置するときは、中央ペダル１１０は一定距離だけ下がっている。このため、係止ピン１０９は接続ワイヤ１０８、引張バネ１０７、中音域用ワイヤ１０５を引っ張り下げる。そして、レギュレチングレール１００はストッパ１１４に当接するまで下降する。
すなわち、予め設定しておいた１ｍｍ程度だけ下降するものである。このレギュレチングレール１００に保持されたレギュレチングボタン３５は通常演奏位置から１ｍｍだけ下に位置することになる。この結果、ジャック小３３Ｂがこのレギュレチングボタン３５に当接する位置も１ｍｍ程度だけ下がるものである（図１参照）。
【００１５】
また、ハンマーシャンク１４と弦１１の間には、ハンマーストッパ１２０が配設されている。このハンマーストッパ１２０は、紙面に垂直方向に延設された回動自在な軸１２０Ａと、その軸１２０Ａに固着されたクッション１２０Ｂ、１２０Ｃ等を備えている。軸１２０Ａの一端はモータ（未図示）の回動軸に固着されている。ハンマーストッパ１２０のクッション１２０Ｂがハンマーシャンク１４に対向する位置において、軸１２０Ａの回動が停止したとする。この場合には、打鍵によりハンマーシャンク１４が弦１１の方向に回動すると、ハンマーシャンク１４はハンマーストッパ１２０のクッション１２０Ｂに当接し、ハンマーヘッド１３が打弦する直前にハンマーシャンク１４は停止する。よって、ハンマーヘッド１３が打弦するのを阻止できるものである。
また、ダンパーワイヤーはクッション１２０Ｃに当接する。ハンマーストッパ１２０の軸１２０Ａを回動させるモータにはモータ駆動回路が接続されている。このモータ駆動回路は、中央ペダル１１０の切替に対応した出力信号をモータに印加し、ハンマーストッパ１２０を所定の位置まで回動させるものである。
【００１６】
以上の構成に係るアップライトピアノの作用について、中央ペダル１１０の上下の切替に分けて、以下説明する。
【００１７】
中央ペダル１１０を下側に位置させたときは、レギュレチングレバー１００が下降し、レギュレチングボタン３５も１ｍｍ程度下降するものである。
なお、中央ペダル１１０を踏み込んで下側に位置させた後、中央ペダル１１０を側方にずらして（水平方向に移動する）、その踏み込み状態を保持しておいてもよい。これと連動して、ハンマーストッパ１２０のクッション１２０Ｂはハンマーシャンク１４に対向する位置に停止する（図１中の破線）。
【００１８】
そして、打鍵すると、この打鍵に応じてジャック３３が押し上げられる。このとき、ダンパー４３が弦１１から離間する。ジャック３３の上昇は、バット１５を突き上げて、図中時計回り方向にセンターピン１７を中心にバット１５を回動させる。このため、バット１５に設けられたハンマーヘッド１３およびハンマーシャンク１４は図中時計回り方向に回動する。
ただし、ジャック３３は通常演奏のときより１ｍｍ程度下方の位置まで上昇すると、ジャック小３３Ｂがレギュレーティングボタン３５に当接する。この結果、ジャック３３の上昇は、通常演奏のときより早く阻止されるとともに、ジャック３３はバット１５を突き放す。このときの接近の値は、５〜７ｍｍ程度である。
この後もハンマーヘッド１３およびハンマーシャンク１４はその慣性により、なおも図中時計回り方向に回動し続けて、弦１１を打撃しようとする。
【００１９】
しかし、ハンマーヘッド１３が弦１１を打撃する直前に、ハンマーシャンク１４がハンマーストッパ１２０のクッション１２０Ｂに当接する。この当接後、バットスプリング１６の付勢力により、ハンマーヘッド１３は弦１１を打撃することなく跳ね返される。この結果、バット１５はセンターピン１７を中心に図中反時計回り方向に回動する。そして、キャッチャースキン１９Ａは、バックチェックフェルト２７Ａに当接する。
すなわち、中央ペダル１１０を下側へ移動させたときには、ハンマーヘッド１３は打弦せず、ハンマーストップ状態に移動するものである。したがって、この時は、弦１１から発音することがない。
【００２０】
なお、この状態では、打鍵に応じて、自動ピアノ等に用いられるキーセンサ、ハンマーセンサ等の演奏情報に基づいた電子音源から発音させてもよい。この発音をヘッドホーン等で聴いたり、スピーカの音量を低減して聞いてもよい。または、響板ドライバを用いて、響板から小さな音量で発音させてもよい。
すなわち、夜、日中であっても、アップライトピアノの生音を出したくないときは、弦から発音させずにアップライトピアノの演奏を楽しむことができるものである。
【００２１】
一方、中央ペダル１１０をラッチ孔１１０Ａの右側の上に位置させたときは、レギュレチングレバー１００が通常演奏状態の位置に移動し、レギュレチングボタン３５も通常演奏状態の位置に移動するものである。これと連動して、ハンマーストッパ１２０の軸１２０Ａは弦１１に平行する位置に停止する（図１中の実線）。
【００２２】
そして、打鍵に応じてジャック３３が押し上げられ、ダンパー４３が弦１１から離間する。ジャック３３はバット１５を回動し、さらに、バット１５はジャック３３から通常演奏の位置で脱進し、接近の値も通常演奏と同じ２ｍｍ程度である。その後もハンマーヘッド１３およびハンマーシャンク１４はその慣性により、図中時計回り方向に回動し続けて、弦１１を打撃しようとする。ハンマーヘッド１３は、ハンマーストッパ１２０に回動運動を遮断されないので、弦１１を通常演奏通り打撃する。
この打弦後も通常演奏通り、ハンマーヘッド１３は弦１１の反発力、および、バットスプリング１６の付勢力により跳ね返される。この結果、バット１５はセンターピン１７を中心に図中反時計回り方向に回動する。そして、キャッチャースキン１９Ａは、バックチェックフェルト２７Ａに当接する。
すなわち、中央ペダル１１０が右側の上に位置している時には、ハンマーヘッド１３は通常演奏通りに打弦して、ハンマーストップ状態に移動するものである。
【００２３】
したがって、アップライトピアノにおいては、接近の値を変更可能にすることにより、打弦音を発生させない非打弦演奏と、鍵のタッチが阻害されない通常演奏を実現できるものである。
また、ハンマーストッパ１２０を図１に実線と破線とで示す位置の中間部に位置させると、弱音打弦演奏を行うこともできる。
【００２４】
なお、上記ハンマーストッパ１２０の代わりに、図３に示されるハンマーストッパ１３０を用いてもよい。このハンマーストッパ１３０は、鍵盤配列方向に沿って延設された所定の長さ、幅、厚さを有する長板１３０Ａを備えている。この長板１３０Ａの一方の面（ハンマーシャンク１４側の面）はハンマーシャンク１４が面により当接するように所定角度だけ傾斜して形成され、この面にはハンマーシャンク１４用のクッション１３０Ｂが固着されている。長板１３０Ａの他方の面にはダンパーワイヤ用のクッション１３０Ｃが固着されている。また、この長板１３０Ａの一端はシャフト（図示外）を介してアップライトピアノ下部に配設された中央ペダル１１０（図２参照）に連結されている。演奏者が中央ペダル１１０を踏み込むことにより、このストッパ１３０は下方に移動し（図中破線）、ハンマーヘッド１３の非打弦を実現するものである。
【実施例２】
【００２５】
次に、図４を用いて、本発明の鍵盤楽器の第２実施例に係るグランドピアノを説明する。この図は、グランドピアノの弦およびアクションの休止状態を示す側面図である。
【００２６】
この図において、各音高に対応して弦２００は、ほぼ水平にそれぞれ張設されている。この弦２００に対応してハンマーアセンブリは配設されている。このハンマーアセンブリは、図中時計回り方向に回動して弦２００を打撃するハンマーヘッド２０１と、このハンマーヘッド２０１に連設されたハンマーシャンク２０２と、このハンマーシャンク２０２の基端においてピン２０４を中心にして回動自在にハンマーシャンク２０２を支持したハンマーシャンクフレンジ２０３と、ハンマーシャンク２０２の基端側に設けられたハンマーローラー２０５と、を備えている。
【００２７】
そして、ハンマーアセンブリのハンマーローラー２０５にはレペティションレバー２０６が当接している。このレペティションレバー２０６はサポート２０７に回動自在に支持されている。このサポート２０７の右端にはジャック２０８が回動自在に支持されている。このジャック２０８のジャック大２０８Ａの先端（頂端）は、レペティションレバー２０６の長孔２０６Ａを通ってハンマーローラー２０５の下面に当接している。ジャック２０８は、打鍵に応じた図中時計回り方向への回動力をハンマーアセンブリに伝達するものである。
また、ジャック小２０８Ｂの上面が当接可能な位置には、レギュレチングボタン２０９が配設されている。
【００２８】
詳しくは、ハンマーシャンクフレンジ２０３の下面において、弦２００に対応して配設される８８個の鍵全体にわたって、シャンクレール２１０が横断延設されている。
このシャンクレール２１０には、図５に示すように、上レギュレチングレール２１１がネジ２１２によって固定されている。この上レギュレチングレール２１１の下面には、スライドくさび２１４を介して下レギュレチングレール２１５が保持されている。この下レギュレチングレール２１５は、引張バネ２１８によって、常時、上レギュレチングレール２１１に接近する方向に付勢されている。
また、下レギュレチングレール２１５の下部には、レギュレチングボタン２０９がねじ込まれているものである。このレギュレチングボタン２０９の下面にも皮革等のレギュレチングボタンパンチング２０９Ａが貼着されている。
【００２９】
また、スライドくさび２１４は低音域、中音域、高音域毎に３分割されて横断延設されたものである。このスライドくさび２１４は、弦２００に対応して配設される８８個の鍵全体にわたって横断延設された梁２１６に連設されている。この梁２１６の演奏者側の両端には２個のソレノイド２１７がそれぞれ当接している。これらのソレノイド２１７を、ペダル（図示外）等の切替手段によって、駆動させることによって、梁２１６を介して、スライドくさび２１４は水平方向に可動するものである。スライドくさび２１４と、上レギュレチングレール２１１，下レギュレチングレール２１５との当接面において、フッ素樹脂等のきわめて摩擦力の低いシートをそれぞれ介在させることによって、スライドくさび２１４の水平方向の可動が滑らかになっている。
このスライドくさび２１４が水平方向に可動することによって、下レギュレチングレール２１５に取り付けられたレギュレチングボタン２０９は、１ｍｍ程度上下に可動するものである。
【００３０】
さらに、サポート２０７の下面にはキャプスタン２２０が当接している。このキャプスタン２２０は鍵盤２２１の奥端部上面に突設されている。
また、ハンマーシャンク２０２と弦２００の間には、図１に示したハンマーストッパ１２０が配設されている。
なお、このハンマーストッパ１２０の代わりに、図３中のハンマーストッパ１３０を用いてもよい。
【００３１】
以上の構成に係るグランドピアノの作用について、ペダルの上下の切り替えに分けて、以下説明する。
【００３２】
ペダルを下側に位置させたときは、ソレノイド２１７によってスライドくさび２１４が左（ジャック２０８に接近する方向）に移動する。このため、下レギュレチングレール２１５が下降し、レギュレチングボタン２０９も１ｍｍ程度下降するものである。これと連動して、ハンマーストッパ１２０はハンマーシャンク１４に対向する位置に停止する（図４中の破線）。
【００３３】
そして、打鍵すると、この打鍵に応じてジャック２０８が押し上げられる。このジャック２０８の上昇によって、ハンマーヘッド２０１およびハンマーシャンク２０２は図中時計回り方向に回動する。ただし、ジャック２０８は通常演奏のときより１ｍｍ程度下方の位置まで上昇すると、ジャック小２０８Ｂがレギュレーティングボタンパンチング２０９Ａに当接する。この結果、ジャック２０８の上昇は、通常演奏のときより早く阻止されるとともに、ジャック２０８はハンマーローラー２０５を突き放す。このときの接近の値は、５〜７ｍｍ程度である。
この後もハンマーヘッド２０１はその慣性により、なおも図中時計回り方向に回動し続けて、弦２００を打撃しようとする。
【００３４】
しかし、ハンマーヘッド２０１が弦２００を打撃する直前に、ハンマーシャンク２０２がハンマーストッパ１２０のクッション１２０Ｂに当接する。この当接後、ハンマーヘッド２０１は弦２００を打撃することなく跳ね返される。この結果、ハンマーシャンク２０２は、ハンマーシャンクストップフェルト２２２に当接する。
すなわち、ペダルを下側へ移動させたときには、ハンマーヘッド２０１は打弦せず、ハンマーストップ状態に移動するものである。したがって、この時は、弦２００から発音することがない。
【００３５】
なお、この状態でも、打鍵に基づく電子音源から発音させてもよい。夜、日中であっても、グランドピアノの音を出したくないときは、弦から発音させずにグランドピアノの演奏を楽しむことができるものである。
【００３６】
一方、ペダルを上に位置させたときは、ソレノイド２１７によってスライドくさび２１４が右（ジャック２０８から遠ざかるする方向）に移動する。このため、下レギュレチングレバー２１５が通常演奏状態の位置に移動し、レギュレチングボタン２０９も通常演奏状態の位置に移動するものである。これと連動して、ハンマーストッパ１２０の軸１２０Ａは弦２００に平行する位置に停止する（図中の実線）。
【００３７】
そして、打鍵に応じてジャック２０８が押し上げられ、ハンマーローラー２０５はジャック２０８から通常演奏の位置で脱進し、接近の値も通常演奏と同じ２ｍｍ程度である。その後もハンマーヘッド２０１はその慣性により、図中時計回り方向に回動し続けて、ハンマーストッパ１２０に回動運動を遮断されることなく弦２００を通常演奏通り打撃する。この打弦後も通常演奏通り、ハンマーヘッド２０１は弦２００の反発力により跳ね返される。そして、ハンマーシャンク２０２は、ハンマーシャンクストップフェルト２２２に当接する。
すなわち、ペダルが上に位置している時には、ハンマーヘッド２０１は通常演奏通りに打弦して、ハンマーストップ状態に移動するものである。
【００３８】
したがって、グランドピアノにおいても、接近の値を変更可能にすることにより、打弦音を発生させない非打弦演奏と、鍵のタッチが阻害されない通常演奏を実現できるものである。
【図面の簡単な説明】
【００３９】
【図１】本発明の第１実施例に係るアップライトピアノの弦およびアクションの休止状態を示す側面図である。
【図２】本発明の第１実施例に係るストッパを示す斜視図である。
【図３】本発明の第１実施例に係るアップライトピアノの弦およびアクションの休止状態を示す側面図である。
【図４】本発明の第２実施例に係るグランドピアノの弦およびアクションの休止状態を示す側面図である。
【図５】本発明の第２実施例に係るレギュレチングレールを示す斜視図である。
【符号の説明】
【００４０】
１１  弦、
１３，１４，１５，１６，１８，１９  ハンマーアセンブリ、
３３  ジャック、
１００  レギュレチングレール（変更手段）、
１２０  ハンマーストッパ（阻止手段）。
【図１】
2005134928.tif 000003
【図２】
2005134928.tif 000004
【図３】
2005134928.tif 000005
【図４】
2005134928.tif 000006
【図５】
2005134928.tif 000007